(57)【要約】【課題】比較的簡単な設備で、（１）虚偽表示の防止、（２）「トレーサビリティ」の確保、及び（３）虚偽表示を行った悪徳業者の特定と水増し防止が実現でき、かつ業界全体への普及が容易な虚偽表示防止方法と改ざん防止機能付きラベル書込装置を提供する。【解決手段】改ざん不能な仕入帳票Ｉ及び出荷帳票Ｏとして情報の消去及び書込が可能なリライタブルラベル１０を用いる。リライタブルラベルは、シリアル番号Ｎが消去できない形態で記載されたバーコード２と、商品情報を書込むための消去可能な２次元コード４とを有する。仕入帳票Ｉの２次元コード４には、仕入れ元の商品情報と仕入帳票Ｉのシリアル番号Ｎが改ざん不能な形態で書込まれている。出荷帳票Ｏの２次元コード４には、仕入帳票Ｉの２次元コード４の内容の少なくとも一部と、新たな商品情報と出荷帳票Ｏのシリアル番号Ｎを改ざん不能な形態で書込む。【選択図】　　　図２
2004094510.tif 000002
【特許請求の範囲】
【請求項１】
仕入れ元から商品情報の改ざん不能な仕入帳票Ｉを受理し、該仕入帳票Ｉを基に仕入帳票の全内容と新たな商品情報を含む改ざん不能な出荷帳票Ｏを作成し、二次加工した商品に添付して出荷する、ことを特徴とする商品流通における虚偽表示防止方法。
【請求項２】
前記改ざん不能な仕入帳票Ｉ及び出荷帳票Ｏとして情報の消去及び書込が可能なラベル（１０）を用い、該ラベルは、シリアル番号Ｎが消去できない形態で記載された読出専用記憶領域（２）と、商品情報を書込むための消去可能な書込可能記憶領域（４）とを有し、
仕入帳票Ｉの２次元コード（４）には、仕入れ元の商品情報と仕入帳票Ｉのシリアル番号Ｎが改ざん不能な形態で書込まれており、
出荷帳票Ｏの２次元コード（４）には、仕入帳票Ｉの２次元コード（４）の内容の少なくとも一部と、新たな商品情報と出荷帳票Ｏのシリアル番号Ｎを改ざん不能な形態で書込む、ことを特徴とする請求項１に記載の商品流通における虚偽表示防止方法。
【請求項３】
前記ラベル（１０）は、情報の消去及び書込が可能なリライタブルラベル及び／又はＩＣチップ入りラベルであり、前記読出専用記憶領域（２）は、シリアル番号Ｎが消去できない形態で記載されたバーコード又はＲＯＭであり、前記書込可能記憶領域（４）は、消去可能な２次元コード及び／又はＲＡＭである、ことを特徴とする請求項２に記載の商品流通における虚偽表示防止方法。
【請求項４】
前記仕入帳票Ｉの改ざん不能な形態は、仕入れ元固有の秘密鍵で暗号化された商品情報とその発行者名であり、前記出荷帳票Ｏの改ざん不能な形態は、出荷元固有の秘密鍵で暗号化された商品情報とその発行者名である、ことを特徴とする請求項２に記載の商品流通における虚偽表示防止方法。
【請求項５】
前記仕入帳票Ｉの改ざん不能な形態は、仕入れ元固有の秘密鍵で暗号化された商品情報とその公開鍵であり、前記出荷帳票Ｏの改ざん不能な形態は、出荷元固有の秘密鍵で暗号化された商品情報とその公開鍵である、ことを特徴とする請求項２に記載の商品流通における虚偽表示防止方法。
【請求項６】
前記仕入帳票Ｉの改ざん不能な形態は、仕入れ元固有の電子署名が付された商品情報であり、前記出荷帳票Ｏの改ざん不能な形態は、出荷元固有の電子署名が付された商品情報である、ことを特徴とする請求項２に記載の商品流通における虚偽表示防止方法。
【請求項７】
ラベル（１０）の読み込み、消去、書き込みができるラベル書込装置（２０）を用い、仕入帳票Ｉの改ざん可能性をチェックし、「改ざん可能性なし」の場合にのみ、仕入帳票Ｉに適合する出荷帳票Ｏを作成する、ことを特徴とする請求項１又は２に記載の商品流通における虚偽表示防止方法。
【請求項８】
仕入帳票Ｉの読出専用記憶領域（２）と書込可能記憶領域（４）を読み込み、
仕入れ元の公開鍵又は電子署名の正当性と、読出専用記憶領域（２）と書込可能記憶領域（４）のシリアル番号の同一性をチェックし、正当かつ同一の場合にのみ、「改ざん可能性なし」と判断する、ことを特徴とする請求項７に記載の商品流通における虚偽表示防止方法。
【請求項９】
出荷帳票Ｏの書込可能記憶領域（４）に、仕入帳票Ｉの２次元コード（４）の内容の少なくとも一部と、新たな商品情報と出荷帳票Ｏのシリアル番号Ｎを改ざん不能な形態で書込み、かつ、新たな出荷帳票Ｏを仕入帳票Ｉの総量を超えない範囲でのみ作成可能にしかつ元の仕入帳票Ｉを出荷帳票Ｏの作成時に消去する、ことを特徴とする請求項７に記載の商品流通における虚偽表示防止方法。
【請求項１０】
仕入れ元から商品情報の仕入帳票Ｉを受理し、該仕入帳票Ｉを基に新たな商品情報を含む出荷帳票Ｏを作成し、二次加工した商品に添付して出荷するための改ざん防止機能付きラベル書込装置であって、
前記仕入帳票Ｉ及び出荷帳票Ｏは、シリアル番号Ｎが消去できない形態で記載された読出専用記憶領域（２）と、商品情報を書込むための消去可能な書込可能記憶領域（４）とを有し、情報の消去及び書込が可能なラベル（１０）であり、前記ラベル書込装置は、ラベル（１０）の読み込み、消去、書き込み機能と、仕入帳票Ｉの改ざん可能性をチェックし、「改ざん可能性なし」の場合にのみ出荷帳票Ｏを作成可能にするチェック機能と、出荷帳票Ｏの２次元コード（４）に、仕入帳票Ｉの書込可能記憶領域（４）の内容の少なくとも一部と、新たな商品情報と出荷帳票Ｏのシリアル番号Ｎを改ざん不能な形態で書込む改ざん防止機能と、新たな出荷帳票Ｏを仕入帳票Ｉの総量を超えない範囲でのみ作成可能にしかつ元の仕入帳票Ｉを出荷帳票Ｏの作成時に消去する偽造防止機能とを有する、ことを特徴とする改ざん防止機能付きラベル書込装置。
【請求項１１】
前記ラベル（１０）は、情報の消去及び書込が可能なリライタブルラベル及び／又はＩＣチップ入りラベルであり、前記読出専用記憶領域（２）は、シリアル番号Ｎが消去できない形態で記載されたバーコード又はＲＯＭであり、前記書込可能記憶領域（４）は、消去可能な２次元コード及び／又はＲＡＭである、ことを特徴とする請求項１０に記載の改ざん防止機能付きラベル書込装置。
【発明の詳細な説明】
【０００１】
【発明の属する技術分野】
本発明は、商品流通における虚偽表示防止方法及びこれに用いる改ざん防止機能付きラベル書込装置に関する。
【０００２】
【従来の技術】
牛肉、豚肉、鶏肉等の食肉やマグロ等の魚類（以下、単に「商品」と呼ぶ）は、生産地や漁港（以下「原産地」と呼ぶ）から流通センター、市場、プロセスセンター、スーパーマーケット、一般店鋪、等の複数の中間業者を介して消費者に販売される。また、これらの中間業者では、仕入れ元から商品の原産地、品質、等級、重量等が記載された仕入帳票を受理し、小分け等の二次加工を行い、仕入帳票を基に二次加工品毎に新たな出荷帳票を作成・添付して出荷する。
【０００３】
上述した商品流通の過程において、複数の中間業者による二次加工と帳票作成を繰返す間に、帳票の改ざんや偽造が行われ、最終的に消費者に販売された食品の原産地、品質、等級、等が虚偽表示されたり、高品質のものを水増しすることがあった。
このような場合、商品の品質表示等の信用が失われ、消費者は安心して商品の購入ができなくなり、販売店は信用を失うと共に販売不振に陥る等、商品流通全体に悪影響が生じる。しかし、従来は、その虚偽表示を行った中間業者の特定や水増し防止も困難であり、業界全体の信用回復にも時間がかかっていた。
【０００４】
そのため、虚偽表示を防止でき、かつ万一虚偽表示が行われた場合でも、その商品の流通ルートを正確に辿る（遡る）ことができ（以下、この機能を「トレーサビリティ」と呼ぶ）、虚偽表示を行った悪徳業者を容易に特定でき、かつ水増し防止ができる虚偽表示防止システムが望まれていたが、これに適合するものは従来存在しなかった。
【０００５】
なお、本発明で用いるリライタブルラベルに関しては、［特許文献１］等に開示されている。
【０００６】
【特許文献１】特開２００２−２１５０３８号公報、「２次元コード付き可逆感熱紙の書換え方法及び装置」
【０００７】
【発明が解決しようとする課題】
そこで、このような問題点を解決するために、特定の商品流通業界において、中立的なデータセンターを設立し、多数の中間業者の品物を扱うフォーマットを統一し、業界全体を統合した一元的データベースを作ることが、一部で検討されているが、システムの構築に多大な費用と時間を必要とし、かつ、虚偽表示の防止、「トレーサビリティ」の確保、悪徳業者の特定、水増し防止の手段が依然として確立されていない問題点があった。
【０００８】
本発明は上述した要望に応えて創案されたものである。すなわち本発明の目的は、比較的簡単な設備で、（１）虚偽表示の防止、（２）「トレーサビリティ」の確保、及び（３）虚偽表示を行った悪徳業者の特定と水増し防止が実現でき、かつ業界全体への普及が容易な商品流通における虚偽表示防止方法及びこれに用いる改ざん防止機能付きラベル書込装置を提供することにある。
【０００９】
【課題を解決するための手段】
本発明によれば、仕入れ元から商品情報の改ざん不能な仕入帳票Ｉを受理し、該仕入帳票Ｉを基に仕入帳票の全内容と新たな商品情報を含む改ざん不能な出荷帳票Ｏを作成し、二次加工した商品に添付して出荷する、ことを特徴とする商品流通における虚偽表示防止方法が提供される。
【００１０】
本発明の方法によれば、仕入れ元から受理する仕入帳票Ｉが改ざん不能であり、二次加工した商品に添付して出荷する出荷帳票Ｏは、仕入帳票Ｉを基に仕入帳票の全内容と新たな商品情報を含み、かつ改ざん不能なので、これを繰返し、最終消費者に届いた商品（例えば食品）に添付されているラベル（仕入帳票Ｉに相当する）には、最初の出荷元からすべての中間業者の商品情報が改ざん不能な状態で記載されている。
従って、ある中間業者において仕入帳票Ｉと異なる新たな商品情報を追加した場合には、これを仕入れた次の中間業者によりその内容の相違（すなわち改ざん又は虚偽表示）がすぐに発覚するため、虚偽表示を未然に防止できる。また万一、複数の中間業者がその虚偽表示（改ざん）に気付かず、消費者まで届いた後に虚偽表示が発覚した場合でも、最初の出荷元からすべての中間業者の商品情報が改ざん不能な状態で記載されているので、その商品の流通ルートを正確に辿り（「トレーサビリティ」の確保）、虚偽表示した中間業者（悪徳業者）をすぐに特定することができる。
【００１１】
本発明の好ましい実施形態によれば、前記改ざん不能な仕入帳票Ｉ及び出荷帳票Ｏとして情報の消去及び書込が可能なラベル（１０）を用い、該ラベルは、シリアル番号Ｎが消去できない形態で記載された読出専用記憶領域（２）と、商品情報を書込むための消去可能な書込可能記憶領域（４）とを有し、仕入帳票Ｉの２次元コード（４）には、仕入れ元の商品情報と仕入帳票Ｉのシリアル番号Ｎが改ざん不能な形態で書込まれており、出荷帳票Ｏの２次元コード（４）には、仕入帳票Ｉの２次元コード（４）の内容の少なくとも一部と、新たな商品情報と出荷帳票Ｏのシリアル番号Ｎを改ざん不能な形態で書込む。
前記ラベル（１０）は、情報の消去及び書込が可能なリライタブルラベル及び／又はＩＣチップ入りラベルであり、前記読出専用記憶領域（２）は、シリアル番号Ｎが消去できない形態で記載されたバーコード又はＲＯＭであり、前記書込可能記憶領域（４）は、消去可能な２次元コード及び／又はＲＡＭである。
【００１２】
仕入帳票Ｉ及び出荷帳票Ｏとしてラベル（１０）（リライタブルラベル及び／又はＩＣチップ入りラベル）を用いることにより、出荷帳票Ｏの作成と同時に仕入帳票Ｉの内容を消去し、二重使用等の使いまわしを防止することができる。
また、ラベルに、書込可能記憶領域（４）（２次元コード及び／又はＲＡＭ）の他に、シリアル番号Ｎが消去できない形態で記載された読出専用記憶領域（２）（バーコード又はＲＯＭ）を設け、出荷帳票Ｏの書込可能記憶領域（４）にもその出荷帳票Ｏのシリアル番号Ｎを改ざん不能な形態で書込むので、これを単に別のリライタブルラベルに複写（コピー）した場合には、複写したリライタブルラベルのシリアル番号Ｎと、書込可能記憶領域（４）に書込まれたシリアル番号Ｎとが必ず相違する。
従って、このシリアル番号Ｎのチェックにより、偽造コピーのチェックを容易に行うことができ、高品質品の水増しを防止ができる。
【００１３】
また、前記仕入帳票Ｉの改ざん不能な形態は、仕入れ元固有の秘密鍵で暗号化された商品情報とその発行者名であり、前記出荷帳票Ｏの改ざん不能な形態は、出荷元固有の秘密鍵で暗号化された商品情報とその発行者名である、ことが好ましい。
この方法により、発行者名から公開されたデータベースを参照して、仕入れ元の公開鍵、及び出荷元の公開鍵を入手することにより、だれでも仕入帳票Ｉ及び出荷帳票Ｏの内容を解読はできるが、秘密鍵がないため第三者による改ざんを防止することができる。また、書込可能記憶領域（４）に公開鍵を含まないため、記憶容量を小さくできる。
また、前記仕入帳票Ｉの改ざん不能な形態は、仕入れ元固有の秘密鍵で暗号化された商品情報とその公開鍵であり、前記出荷帳票Ｏの改ざん不能な形態は、出荷元固有の秘密鍵で暗号化された商品情報とその公開鍵である、ことが好ましい。
この方法によっても、仕入れ元の公開鍵、及び出荷元の公開鍵によりだれでも仕入帳票Ｉ及び出荷帳票Ｏの内容を解読はできるが、秘密鍵がないため第三者による改ざんを防止することができる。また、書込可能記憶領域（４）に公開鍵をむため、記憶容量は大きくなるが、公開されたデータベースを参照することなくそれだけですぐに読める。
【００１４】
また、前記仕入帳票Ｉの改ざん不能な形態は、仕入れ元固有の電子署名が付された商品情報であり、前記出荷帳票Ｏの改ざん不能な形態は、出荷元固有の電子署名が付された商品情報であってもよい。
この方法により、第三者はだれでも、仕入帳票Ｉ及び出荷帳票Ｏの内容を読めるが、電子署名付きのため第三者による改ざんを防止することができる。
【００１５】
本発明の好ましい実施形態によれば、ラベル（１０）の読み込み、消去、書き込みができるラベル書込装置（２０）を用い、仕入帳票Ｉの改ざん可能性をチェックし、「改ざん可能性なし」の場合にのみ、仕入帳票Ｉに適合する出荷帳票Ｏを作成する。
この方法により、ラベル書込装置（２０）で仕入帳票Ｉの改ざん可能性をチェックするので、仕入れ先における虚偽表示や偽造コピーを早期に発見できる。
また、「改ざん可能性なし」の場合にのみ、仕入帳票Ｉに適合する出荷帳票Ｏを作成するので、過って改ざんされた出荷帳票Ｏの作成を未然に防止できる。
【００１６】
仕入帳票Ｉの読出専用記憶領域（２）と書込可能記憶領域（４）を読み込み、仕入れ元の公開鍵又は電子署名の正当性と、読出専用記憶領域（２）と書込可能記憶領域（４）のシリアル番号の同一性をチェックし、正当かつ同一の場合にのみ、「改ざん可能性なし」と判断する。
この方法により、公開鍵又は電子署名の正当性と、偽造コピーのチェックを容易に行うことができる。
【００１７】
出荷帳票Ｏの書込可能記憶領域（４）に、仕入帳票Ｉの２次元コード（４）の内容の少なくとも一部と、新たな商品情報と出荷帳票Ｏのシリアル番号Ｎを改ざん不能な形態で書込み、かつ、新たな出荷帳票Ｏを仕入帳票Ｉの総量を超えない範囲でのみ作成可能にしかつ元の仕入帳票Ｉを出荷帳票Ｏの作成時に消去する。この方法により、虚偽表示を防止し、「トレーサビリティ」を確保すると共に、仕入帳票Ｉの総量を超えて余分な出荷帳票Ｏを作成して悪用することを防止でき、かつ、出荷帳票Ｏの作成と同時に仕入帳票Ｉの内容を消去し、二重使用等の使いまわしを防止することができ、高品質品の水増しを防止ができる。
【００１８】
また、本発明によれば、仕入れ元から商品情報の仕入帳票Ｉを受理し、該仕入帳票Ｉを基に新たな商品情報を含む出荷帳票Ｏを作成し、二次加工した商品に添付して出荷するための改ざん防止機能付きラベル書込装置であって、
前記仕入帳票Ｉ及び出荷帳票Ｏは、シリアル番号Ｎが消去できない形態で記載された読出専用記憶領域（２）と、商品情報を書込むための消去可能な書込可能記憶領域（４）とを有し、情報の消去及び書込が可能なラベル（１０）であり、前記ラベル書込装置は、ラベル（１０）の読み込み、消去、書き込み機能と、仕入帳票Ｉの改ざん可能性をチェックし、「改ざん可能性なし」の場合にのみ出荷帳票Ｏを作成可能にするチェック機能と、出荷帳票Ｏの２次元コード（４）に、仕入帳票Ｉの書込可能記憶領域（４）の内容の少なくとも一部と、新たな商品情報と出荷帳票Ｏのシリアル番号Ｎを改ざん不能な形態で書込む改ざん防止機能と、新たな出荷帳票Ｏを仕入帳票Ｉの総量を超えない範囲でのみ作成可能にしかつ元の仕入帳票Ｉを出荷帳票Ｏの作成時に消去する偽造防止機能とを有する、ことを特徴とする改ざん防止機能付きラベル書込装置が提供される。
本発明の好ましい実施形態によれば、前記ラベル（１０）は、情報の消去及び書込が可能なリライタブルラベル及び／又はＩＣチップ入りラベルであり、前記読出専用記憶領域（２）は、シリアル番号Ｎが消去できない形態で記載されたバーコード又はＲＯＭであり、前記書込可能記憶領域（４）は、消去可能な２次元コード及び／又はＲＡＭである。
【００１９】
このラベル書込装置のチェック機能により、仕入帳票Ｉの改ざん可能性をチェックするので、仕入れ先における虚偽表示や偽造コピーを早期に発見できる。
また、改ざん防止機能により、虚偽表示を防止し、「トレーサビリティ」を確保できる。
【００２０】
さらにこのラベル書込装置の偽造防止機能により、仕入帳票Ｉの総量を超えて余分な出荷帳票を作成して悪用することを防止でき、かつ、出荷帳票Ｏの作成と同時に仕入帳票Ｉの内容を消去し、二重使用等の使いまわしを防止することができ、高品質品の水増しを防止ができる。
【００２１】
【発明の実施の形態】
以下、本発明の好ましい実施形態を図面を参照して説明する。なお、各図において共通する部分には同一の符号を付し、重複した説明を省略する。
【００２２】
図１は、本発明を適用する商品流通業界の模式的説明図である。この業界は、例えば、牛肉、豚肉、鶏肉等の食肉やマグロ等の魚類（商品）を、生産地や漁港（原産地）から流通センター、市場、プロセスセンター、スーパーマーケット、一般店鋪、等の複数の中間業者Ａ，Ｂを介して消費者に販売する。また、これらの中間業者Ａ，Ｂでは、仕入れ元（原産地または中間業者）から食品の原産地、品質、等級、重量等が記載された仕入帳票Ｉを受理し、小分け等の二次加工を行い、仕入帳票を基に二次加工品毎に新たな出荷帳票Ｏを作成・添付して出荷する。
【００２３】
なお、複数の中間業者は、この例ではＡ，Ｂの２社であるが、本発明はこれに限定されず、３社以上の多数の中間業者があってもよい。また、原産地から消費者までの流通経路は１通りに限定されず、分岐、合流を含む多数の流通経路が混在していても良い。さらに、本発明は食品を商品とする商品流通業界に特に適しているが、本発明はこれに限定されず、あらゆる種類の商品に適用することができる。
【００２４】
図１において、本発明の虚偽表示防止方法では、各中間業者Ａ，Ｂにおいて、仕入れ元から商品情報の改ざん不能な仕入帳票Ｉを受理し、この仕入帳票Ｉを基に仕入帳票の全内容と新たな商品情報を含む改ざん不能な出荷帳票Ｏを作成し、二次加工した商品に添付して出荷する。
生産地や漁港等の原産地では、仕入帳票Ｉはないため、牛の耳標、生育記録、マグロの計量結果等を基に、独自に出荷帳票Ｏを作成することができる。原産地で作成した出荷帳票Ｏはそのまま原産地表示の機能を有する。またこの出荷帳票Ｏはそのまま最初の中間業者Ａの仕入帳票Ｉとなる。
中間業者Ａでは、商品の二次加工を行って１つ以上の新たな商品を準備する。この二次加工は、例えば、商品の小分け、調理、等であるが、なにもしない場合を含んでもよい。中間業者Ａでは、この二次加工と並行して、仕入帳票Ｉを基に仕入帳票の全内容と新たな商品情報を含む改ざん不能な出荷帳票Ｏを作成し、二次加工した商品に添付して出荷する。この出荷帳票Ｏは次ぎの中間業者Ｂの仕入帳票Ｉとなる。
次ぎの中間業者Ｂも、中間業者Ａと同様に独自の二次加工を行い、出荷帳票Ｏを作成し、二次加工した商品に添付して出荷する。次ぎの中間業者（もしある場合）も同様に加工と出荷を繰返す。
最後に、消費者に直接販売する最終中間業者（この場合、中間業者Ｂ）も、独自の二次加工と並行して、仕入帳票Ｉを基に仕入帳票の全内容と新たな商品情報を含む改ざん不能な出荷帳票Ｏ（この場合、商品ラベル）を作成し、二次加工した商品に添付して販売する。
【００２５】
本発明の方法では、改ざん不能な仕入帳票Ｉ及び出荷帳票Ｏとして情報の消去及び書込が可能なラベル１０を用いる。ラベル１０は、情報の消去及び書込が可能なリライタブルラベル及び／又はＩＣチップ入りラベルである。ＩＣチップ入りラベルは、例えばＩＣカード、ＩＣタグ、等である。
【００２６】
本発明において、データの記録は、目に見える形（ＱＲコード等）でもよく、或いは目に見えない形（電気、磁気情報）でもよい。
また、シリアル番号Ｎも、目に見える形でも、電気、磁気情報でもよい。
さらに、可読情報も、リライタブルラベルの代わりに、書換え不可能な従来型の感熱紙を用いてもよい。
また、書込み方法も、接触型（インクジェット、サーマルプリント、磁気的接触、電気的接触）でもよく、非接触型（光学的、電磁誘導、無線）でもよい。
【００２７】
以下、リライタブルラベルを、ラベル１０とする場合を説明する。
図２は、リライタブルラベル１０の一例を示す図である。この図は、中間業者Ａの仕入帳票Ｉ（Ａ）と出荷帳票Ｏ（Ｂ）を示している。
この図に示すように、本発明の方法で用いるリライタブルラベル１０は、シリアル番号Ｎが消去できない形態で記載されたバーコード２と、商品情報を書込むための消去可能な２次元コード４とを有している。
なお、ラベル１０がＩＣチップ入りラベルの場合には、バーコード２の代りにメモリーの不揮発領域（ＲＯＭ）を用い、２次元コード４の代わりにメモリーの読み出し書込みが可能な領域（ＲＡＭ）を用いる。また、リライタブルラベルとＩＣチップ入りラベルを一体化して併用してもよい。
【００２８】
バーコードとは、バーとスペースの組合せにより、数字や文字などを機械が読み取れる形で表現したものである。バーコードは、読み取りの速さと正確さ、操作性の高さなどの特長を有し、既に食料品、雑貨品はもとより、伝票や書類などに広く用いられている。また、本発明において、バーコード２は、シリアル番号Ｎが消去できない形態（例えば印刷）で記載されている。バーコード２の桁数は、例えば１０〜２０桁であり、数字のみ或いはアルファベットと数字の組み合わせであるのがよい。
【００２９】
２次元コードは、従来のバーコードが一直線上の配列であるのに対して、これを２次元的に表現したものである。２次元コードとしては、ＱＲコード、ＰＤＦ４１７、Ｄａｔａ　Ｍａｔｒｉｘ、Ｍａｘｉ　Ｃｏｄｅ、等が既に提案されている。これらの２次元コードは従来のバーコードと比較すると、情報量が数１０倍から数１００倍多く、英数字の他にひらがな、カタカナ、漢字、バイナリーデータも表現でき、データの復元機能を備えている、等の特長を有している。
【００３０】
図３は、２次元コードの一種であるＱＲコードの例である。ＱＲコードは、（Ａ）に示すように３つの切り出しシンボルとデータ領域を有し、数字・英字・漢字・カナ・ひらがな・記号・バイナリ・制御コード等あらゆるデータを扱うことができる。また、（Ｂ）に示すように、ＱＲコードは、縦・横両方向でデータを表現しているので、従来のバーコードと同じ情報量であれば、１０分の１程度の大きさで表示できる利点を有している。なお、ＱＲコードの基本仕様は、ＪＩＳ
Ｘ　０５０３に制定されている。
【００３１】
なお、リライタブルラベル１０は、全体が可逆感熱紙であり、このラベル１０に２次元コード４の他に商品内容等の商品情報６を記載するようになっている。仕入帳票Ｉの商品情報６と出荷帳票Ｏの商品情報６は品質誤認が生じない範囲で相違してもよく、図２の例では、１００ｋｇの商品を１０ｋｇの１０個の商品に分割したため、重量を１０ｋｇとした１０枚の出荷帳票Ｏを作成している。
【００３２】
図４は、本発明の改ざん防止機能付きラベル書込装置の全体構成図である。この図に示すように、本発明のラベル書込装置２０は、読み込み、消去、書き込みができる書込ヘッド２２と、この書込ヘッド２２を制御する制御装置２４とからなる。
【００３３】
図５は、図４の書込ヘッド２２の構成図である。この例では、書込ヘッド２２は、読取り装置１４、消去装置１６及び書込み装置１８を内蔵し、ラベル１０の読取り、消去、書込みを単一の書込ヘッド２２でできるようになっている。なお、本発明は、この構成に限定されず、読取り装置、消去装置、書込み装置を別々の装置で行ってもよい。
【００３４】
図５において、読取り装置１４は、光源１４ａ、光学系１４ｂ、及びＣＣＤイメージセンサ１４ｃ、等からなり、２次元コード４とバーコード２の反射光を制御装置２４でデジタル処理し、これをデータ化してその内容を読み取るようになっている。この２次元コード４は、前述のように、少なくとも商品内容等の情報６も含んでいる。
【００３５】
制御装置２４は、例えばＰＣ（パーソナルコンピュータ）であり、記憶装置２６を有し、読取り装置１４、消去装置１６及び書込み装置１８を制御する。記憶装置２６には、ラベル書込装置２０で実施する入荷時のチェック、及び書込み時の制限内容を、改ざん不能な形態（例えばＲＯＭへの書込み）で記憶する。
【００３６】
消去装置１６は、例えばハロゲンランプであり、ラベル１０の少なくとも情報記載部分を消去する。書込み装置１８は、この例では、光源１８ａ、集光レンズ１８ｂ、液晶パネル１８ｃ、プロジェクトレンズ１８ｄ等からなり、ラベル１０に２次元コード４と商品情報６を書き込む。
なお、この例で、１９ａはインテグレーターレンズ、１９ｂは偏光変換素子であり、２枚のインテグレーターレンズ１９ａで光を高効率で利用し、偏光変換素子１９ｂで偏光面を統一するとともに波長の位相を揃えている。
【００３７】
図５の全面同時書込み法（二次元書き込み）に用いる光源１８ａには、フラッシュランプ等のパルス光源を用いるのがよい。すなわち、液晶パネル１８ｃ（露光マスク）を強力な光源で照射し、適当な光学系を用い露光マスクの像を記録用紙の上に結像させることにより、希望する部分を加熱して瞬時に二次元情報を同時書込みすることができる。
なお、本発明において、ラベル書込装置２０は上述した構成に限定されず、リライタブルラベル１０の読み込み、消去、書き込みができる限りで周知の別の方式（例えば、特開２０００−１４１８９２号）のものでもよい。
【００３８】
図２に示したリライタブルラベル１０において、仕入帳票Ｉの２次元コード４には、仕入れ元の商品情報と仕入帳票Ｉのシリアル番号Ｎが改ざん不能な形態で書込まれている。また、出荷帳票Ｏの２次元コード４には、仕入帳票Ｉの２次元コード４の内容の少なくとも一部（例えば仕入元名、データベースのポインタ、等）と、新たな商品情報と出荷帳票Ｏのシリアル番号Ｎを改ざん不能な形態で書込む。
なお、内容が膨大となるが、記憶容量が十分大きければ、仕入帳票Ｉの２次元コード４の内容すべてを書込むのがよい。
【００３９】
図２おいて、仕入帳票Ｉの改ざん不能な形態は、例えば前記仕入帳票Ｉの改ざん不能な形態は、仕入れ元固有の秘密鍵で暗号化された商品情報とその発行者名であり、出荷帳票Ｏの改ざん不能な形態は、出荷元固有の秘密鍵で暗号化された商品情報とその発行者名である。また仕入帳票Ｉの改ざん不能な形態は、仕入れ元固有の秘密鍵で暗号化された商品情報とその公開鍵であり、前記出荷帳票Ｏの改ざん不能な形態は、出荷元固有の秘密鍵で暗号化された商品情報とその公開鍵であってもよい。
【００４０】
ここで、秘密鍵と公開鍵は、電子メール等で用いる文書の暗号化手段であり、秘密鍵で暗号化したものは、公開鍵で解読でき、その逆もできる関係をいう。ただし秘密鍵は絶対に秘密にしておき、公開鍵は広く公開しておく。文書を暗号化して送るときは、秘密鍵で暗号化し相手に送り、相手は送り人の　公開鍵で復号化して読むことができる。
なお、本発明の方法では、原産地及び複数の中間業者はそれぞれ固有の秘密鍵を有し、その公開鍵は誰でも入手できるように公開しておく。
この方法により、仕入れ元の公開鍵、及び出荷元の公開鍵によりだれでも仕入帳票Ｉ及び出荷帳票Ｏの内容を解読はできるが、秘密鍵がないため第三者による改ざんを防止することができる。
【００４１】
また、仕入帳票Ｉの改ざん不能な形態は、仕入れ元固有の電子署名が付された商品情報であり、出荷帳票Ｏの改ざん不能な形態は、出荷元固有の電子署名が付された商品情報であってもよい。
すなわち、仕入帳票Ｉや出荷帳票Ｏの内容を暗号化する必要はないが、その正当性の検証を必要とする場合には「電子署名」を用いることもできる。この場合、送り手は、もとの平文を「要約関数」に通し、要約数を得る。これを秘密鍵で暗号化し、平文メールに付けて受け手に送る。受け手は到着したメールの平文を同じ要約関数で処理し要約数を得、それを「送り手から秘密鍵で暗号化され届いた要約数を、送り手の公開鍵で復号化したもの」と比較する。両者が同じなら、改ざんなく届いたことが検証できる。
従ってこの方法によっても、第三者はだれでも、仕入帳票Ｉ及び出荷帳票Ｏの内容を読めるが、電子署名付きのため第三者による改ざんを防止することができる。
【００４２】
本発明の好ましい実施形態によれば、リライタブルラベル１０の読み込み、消去、書き込みができるラベル書込装置２０を用い、仕入帳票Ｉの改ざん可能性をチェックし、「改ざん可能性なし」の場合にのみ、仕入帳票Ｉに適合する出荷帳票Ｏを作成する。
この方法により、ラベル書込装置（２０）で仕入帳票Ｉの改ざん可能性をチェックするので、仕入れ先における虚偽表示や偽造コピーを早期に発見できる。
また、「改ざん可能性なし」の場合にのみ、仕入帳票Ｉに適合する出荷帳票Ｏを作成するので、過って改ざんされた出荷帳票Ｏの作成を未然に防止できる。
【００４３】
上述したラベル書込装置２０は、リライタブルラベル１０の読み込み、消去、書き込み機能と、チェック機能、改ざん防止機能、及び偽造防止機能を有する。これらの機能は、制御装置２４と記憶装置２６に改ざん不能な形態（例えばＲＯＭへの書込み）で記憶するされたプログラムで実現される。
チェック機能は、仕入帳票Ｉの改ざん可能性をチェックし、「改ざん可能性なし」の場合にのみ出荷帳票Ｏを作成可能にする機能である。
改ざん防止機能は、出荷帳票Ｏの２次元コード４に、仕入帳票Ｉの２次元コード４の内容の少なくとも一部（例えば仕入元名、データベースのポインタ、等）と、新たな商品情報と出荷帳票Ｏのシリアル番号Ｎを改ざん不能な形態で書込む機能である。
偽造防止機能は、新たな出荷帳票Ｏを仕入帳票Ｉの総量を超えない範囲でのみ作成可能にし、かつ元の仕入帳票Ｉを出荷帳票Ｏの作成時に消去する機能である。
【００４４】
図６は、本発明の虚偽表示防止方法の実施例を示す図である。この例は、ある中間業者における業務の流れを示している。なおこの例では、２次元コード４としてＱＲコードを使用した場合について説明する。
【００４５】
（ラベルのＱＲコードのフォーマット）
平文中で使用しない２種類の記号（例えば、”｛”と”｝”）を暗号文の識別子として使用し、平文の中に埋め込む。暗号文のフォーマットは｛公開鍵のバイト数、公開鍵、暗号文のバイト数、暗号文｝という組で表すこととする。暗号文を解読した中に｛・・・｝という暗号文があり、それを解読するとさらにその中に平文とともに暗号文があるというように多重の入れ子が可能であるので、品物の前歴を、正統性を保証する形で、トレースができる。
【００４６】
（暗号文の内容）
発行者の認証と内容の改ざん防止のために暗号化する。従って、解読は誰でも可能である。
暗号文に含まれる内容は、日付、これから書き込むラベルのシリアル番号（予め読み取っておくものとする）、発行者の名称、内容（種類、品質、数量）、入荷元のデータ、出荷先の名称等である。入荷元のデータは、再帰的に記録されるため、これを辿ることにより、第１次生産者（原産地）まで辿り着くことが可能となる。また、各中間業者には、ラベルのシリアル番号と、内容との対応表が蓄積されているので、入荷元の名称とそのラベルのシリアル番号のみを記入し、データ量を節約することも可能である。
【００４７】
（書き込み器の制限機構）
改ざん防止のために、リライタブルラベルのラベル書込装置２０に以下の制限機能を付ける。
１．ラベルのＱＲコードの入れ子の最外側の暗号文が自分の持っている秘密鍵以外で書かれた暗号文であるときは、「読み取り可、再書込み禁止」とする。
２．ラベルのＱＲコードの入れ子の最外側の暗号文が自分の持っている秘密鍵で作られている場合は、「出荷先の名称などは自由に付加、変更を許可するが、数量、品質等の品物の価値を表すデータの変更は不可」とする。
３．内容を分割するときは、元のラベルは消去し、分割した合計が元の量を超えない範囲でラベルの発行を可とする。
【００４８】
（入荷時のチェック）
以下の３点を仕入帳票Ｉの読み込みと同時にチェックする。
１．最外側の公開鍵が公表されている入荷元の公開鍵と一致するか・・・署名の確認
２．暗号文内部に記載されているラベルのシリアル番号と、そのラベルに書かれているシリアル番号が一致するか・・・偽造コピーのチェック
３．正当な一次生産者まで辿れるか・・・品物の正当性のチェック
１に関して、上記の例では、公開鍵と暗号の対という形で扱っている。これは公開鍵と発行者の対応表がなくても、例えば解読機能を持ったハンドヘルドのリーダーを使うといった使用法で中身が読めるという利点がある。
また、発行者と暗号の対として、必ず表から公開鍵を求めるという方式にし、スペースの節約を図ってもよい。公開鍵と書き手の対応表は、元々公開されるものなので、どこかサーバーにおいて誰でも読める形にしておくのが良い。
【００４９】
（出荷時の作業）
シリアル番号から内容の問い合わせ、将来のデータベースの一元化に備え、ラベルのシリアル番号と内容の対を自社内データベースに追加する。また、ＱＲコードの部分はＩＣチップに置き換え、無線でデータのやりとりをするようにしてもよい。
【００５０】
上述したラベル書込装置２０を用い、仕入帳票Ｉのバーコード２と２次元コード４を読み込み、仕入れ元の公開鍵又は電子署名の正当性と、バーコード２と２次元コード４のシリアル番号の同一性をチェックし、正当かつ同一の場合にのみ、「改ざん可能性なし」と判断することにより、公開鍵又は電子署名の正当性と、偽造コピーのチェックを容易に行うことができる。従って仕入れ先における虚偽表示や偽造コピーを早期に発見できる。
【００５１】
また、上述したラベル書込装置２０を用い、仕入帳票Ｉの改ざん可能性をチェックし、「改ざん可能性なし」の場合にのみ、出荷帳票Ｏの２次元コード４に、仕入帳票Ｉの２次元コード４の内容の少なくとも一部（例えば仕入元名、データベースのポインタ、等）と、新たな商品情報と出荷帳票Ｏのシリアル番号Ｎを改ざん不能な形態で書込み、かつ新たな商品情報は、仕入帳票Ｉの総量を超えない範囲でのみ、複数の出荷帳票Ｏの作成を行い、かつ元のラベルは自動消去することにより、虚偽表示を防止し、「トレーサビリティ」を確保すると共に、仕入帳票Ｉの総量を超えて余分な出荷帳票を作成して悪用することを防止でき、かつ、出荷帳票Ｏの作成と同時に仕入帳票Ｉの内容を消去し、二重使用等の使いまわしを防止することができる。
【００５２】
なお、本発明は上述した実施形態に限定されるものではなく、本発明の要旨を逸脱しない範囲で種々変更できることは勿論である。
【００５３】
【発明の効果】
上述した本発明の方法によれば、仕入れ元から受理する仕入帳票Ｉが改ざん不能であり、二次加工した商品に添付して出荷する出荷帳票Ｏは、仕入帳票Ｉを基に仕入帳票の全内容と新たな商品情報を含み、かつ改ざん不能なので、これを繰返し、最終消費者に届いた商品（例えば食品）に添付されているラベル（仕入帳票Ｉに相当する）には、最初の出荷元からすべての中間業者の商品情報が改ざん不能な状態で記載されている。
【００５４】
従って、ある中間業者において仕入帳票Ｉと異なる新たな商品情報を追加した場合には、これを仕入れた次の中間業者によりその内容の相違（すなわち改ざん又は虚偽表示）がすぐに発覚するため、虚偽表示を未然に防止できる。また万一、複数の中間業者がその虚偽表示（改ざん）に気付かず、消費者まで届いた後に虚偽表示が発覚した場合でも、最初の出荷元からすべての中間業者の商品情報が改ざん不能な状態で記載されているので、その商品の流通ルートを正確に辿り（「トレーサビリティ」の確保）、虚偽表示した中間業者（悪徳業者）をすぐに特定することができる。
【００５５】
また、本発明の改ざん防止機能付きラベル書込装置によれば、ラベル書込装置のチェック機能により、仕入帳票Ｉの改ざん可能性をチェックするので、仕入れ先における虚偽表示や偽造コピーを早期に発見できる。
また、改ざん防止機能により、虚偽表示を防止し、「トレーサビリティ」を確保できる。
【００５６】
さらにこのラベル書込装置の偽造防止機能により、仕入帳票Ｉの総量を超えて余分な出荷帳票を作成して悪用することを防止でき、かつ、出荷帳票Ｏの作成と同時に仕入帳票Ｉの内容を消去し、二重使用等の使いまわしを防止することができ、高品質品の水増しを防止ができる。
【００５７】
従って、本発明の商品流通における虚偽表示防止方法及びこれに用いる改ざん防止機能付きラベル書込装置は、比較的簡単な設備で、（１）虚偽表示の防止、（２）「トレーサビリティ」の確保、及び（３）悪徳業者の特定と水増し防止が実現でき、かつ業界全体への普及が容易である、等の優れた効果を有する。
【図面の簡単な説明】
【図１】本発明を適用する商品流通業界の模式的説明図である。
【図２】リライタブルラベル１０の一例を示す図である。
【図３】２次元コードの一種であるＱＲコードの例である。
【図４】本発明の改ざん防止機能付きラベル書込装置の全体構成図である。
【図５】図４の書込ヘッド２２の構成図である。
【図６】本発明の虚偽表示防止方法の実施例を示す図である。
【符号の説明】
２　読出専用記憶領域（バーコード、ＲＯＭ）、
４　書込可能記憶領域（２次元コード、ＲＡＭ）、
６　商品情報、
１０　ラベル（リライタブルラベル、ＩＣチップ入りラベル）
１４　読取り装置、１４ａ　光源、１４ｂ　光学系、
１４ｃ　ＣＣＤイメージセンサ、
１６　消去装置、１８　書込み装置、
１８ａ　光源、１８ｂ　集光レンズ、
１８ｃ　液晶パネル、１８ｄ　プロジェクトレンズ、
２０　ラベル書込装置、２２　書込ヘッド、
２４　制御装置、２６　記憶装置
【図１】
2004094510.tif 000003
【図２】
2004094510.tif 000004
【図３】
2004094510.tif 000005
【図４】
2004094510.tif 000006
【図５】
2004094510.tif 000007
【図６】
2004094510.tif 000008
【手続補正書】
【提出日】平成14年9月5日(2002.9.5)
【手続補正１】
【補正対象書類名】明細書
【補正対象項目名】００１３
【補正方法】変更
【補正の内容】
【００１３】
また、前記仕入帳票Ｉの改ざん不能な形態は、仕入れ元固有の秘密鍵で暗号化された商品情報とその発行者名であり、前記出荷帳票Ｏの改ざん不能な形態は、出荷元固有の秘密鍵で暗号化された商品情報とその発行者名である、ことが好ましい。
この方法により、発行者名から公開されたデータベースを参照して、仕入れ元の公開鍵、及び出荷元の公開鍵を入手することにより、だれでも仕入帳票Ｉ及び出荷帳票Ｏの内容を解読はできるが、秘密鍵がないため第三者による改ざんを防止することができる。また、書込可能記憶領域（４）に公開鍵を含まないため、記憶容量を小さくできる。
また、前記仕入帳票Ｉの改ざん不能な形態は、仕入れ元固有の秘密鍵で暗号化された商品情報とその公開鍵であり、前記出荷帳票Ｏの改ざん不能な形態は、出荷元固有の秘密鍵で暗号化された商品情報とその公開鍵である、ことが好ましい。
この方法によっても、仕入れ元の公開鍵、及び出荷元の公開鍵によりだれでも仕入帳票Ｉ及び出荷帳票Ｏの内容を解読はできるが、秘密鍵がないため第三者による改ざんを防止することができる。また、書込可能記憶領域（４）に公開鍵を含むため、記憶容量は大きくなるが、公開されたデータベースを参照することなくそれだけですぐに読める。